(57)【要約】【課題】目地幅を大きくする調整を周囲を傷つけることなく容易に行うことができる目地幅調整方法等を提供する。【解決手段】治具として、対の押し用部品４，４と、ピン７と、開き用部品５とを備えた、隙間で開く治具３を用い、目地内空間部２に対の押し用部品４，４を差し込み、しかる後、開き用部品５のテコレバー部５ｂを回動操作し、開き用本体部５ａを押し用部品４，４間に進出させることで、目地２を挟む対向面部６，６を相対的に離反変位させる。【選択図】      図１
2006009284.tif 000002
【特許請求の範囲】
【請求項１】
治具として、
目地内空間部を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされている、隙間で開く治具を用い、
目地内空間部に前記対の押し用部品を差し込み、しかる後、開き用部品のテコレバー部を回動操作し、開き用本体部を押し用部品間に進出させることで、目地を挟む対向面部を相対的に離反変位させることを特徴とする目地幅の調整方法。
【請求項２】
隙間を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされていることを特徴とする、隙間で開く治具。
【発明の詳細な説明】
【技術分野】
【０００１】
本発明は、目地幅調整方法及び隙間で開く治具に関する。
【背景技術】
【０００２】
住宅等の建物の建築において、建方を行った外壁パネル間の目地幅が予定よりも狭くなってしまうことがある。そこで、そのような場合に、従来より、必要な目地幅を確保するための種々の目地幅調整方法が用いられているが、従来法では、目地幅を大きくする調整が厄介であったり、外壁を傷つけてしまうことがあるという問題があった。
【発明の開示】
【発明が解決しようとする課題】
【０００３】
本発明は、上記のような問題点に鑑み、目地幅を大きくする調整を周囲を傷つけることなく容易に行うことができる目地幅調整方法等を提供することを課題とする。
【課題を解決するための手段】
【０００４】
上記の課題は、治具として、
目地内空間部を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされている、隙間で開く治具を用い、
目地内空間部に前記対の押し用部品を差し込み、しかる後、開き用部品のテコレバー部を回動操作し、開き用本体部を押し用部品間に進出させることで、目地を挟む対向面部を相対的に離反変位させることを特徴とする目地幅の調整方法によって解決される。
【０００５】
この方法では、治具を構成する対の押し用部品を目地内空間部内に差し込み、開き用部品のテコレバー部を回動操作するだけで、目地幅を大きくすることができ、目地幅を大きくする調整を容易に行うことができる。
【０００６】
しかも、開き用部品の開き用本体部の進出は、対の押し用部品間に対して行われるため、開き用本体部は、対の押し用部品に対しては摺れ動く動作をするが、目地内空間部を挟む対向面部に対して摺れ動くような動作をすることがなく、そのため、開き用本体部の進出動作によって目地内空間部を挟む対向面部を傷つけてしまうこともない。
【０００７】
また、本発明は、隙間を挟む両対向面部に対向する対の押し用部品と、
該対の押し用部品を接近離反可能に連結するピンと、
前記押し用部品間に進出して押し用部品を離反方向に相対変位させる開き用部品と
が備えられ、
前記ピンに開き用部品が回動自在に連結され、あるいは、連結できるようになされており、
開き用部品は、押し用部品間に進出する開き用本体部と、開き用本体部を押し用部品間に進出させるテコレバー部とを備え、該テコレバー部を前記ピンを中心に回動操作することで、開き用本体部が押し用部品間に進出して押し用部品が離反方向に相対変位するようになされていることを特徴とする、隙間で開く治具もその内容とする。
【０００８】
この治具によれば、治具を構成する対の押し用部品を隙間に差し込み、開き用部品のテコレバー部を回動操作するだけで、隙間を挟む対向面部に押し力を付与することができて、隙間を挟む対向面部に対する押し力の付与を容易に行うことができる。
【０００９】
しかも、開き用部品の開き用本体部の進出は、対の押し用部品間に対して行われるため、開き用本体部は、対の押し用部品に対しては摺れ動く動作を行うが、隙間を挟む対向面部の側に対しては摺れ動かず、純粋に押し力のみを対向面部に付与することができる。
【発明の効果】
【００１０】
本発明の目地幅調整方法は、以上のとおりのものであるから、目地幅を大きくする調整を周囲を傷つけることなく容易に行うことができる。また、本発明の隙間で開く治具によれば、隙間を挟む対向面部に対して押し力を容易に付与することができ、押し力付与の過程で、隙間を挟む対向面部の側に対して摺れ動くこともない。
【発明を実施するための最良の形態】
【００１１】
次に、本発明の実施最良形態を図面に基づいて説明する。
【００１２】
図１〜図４に示す実施形態の方法は、住宅等の建物における外壁パネル１，１間の縦目地２を対象とし、予定よりも狭くなってしまった該目地２の目地幅を大きく調整する場合のもので、調整に、図１に示すような、隙間で開く治具３を用いる。
【００１３】
該治具３は、対の押し用部品４，４と開き用部品５とを備えていて、各押し用部品４は、目地内空間部２を挟む両対向面部６，６に対向する押し用本体部４ａと、開き用部品５を押し用本体部４ａ，４ａ間に導き入れるための傾斜ガイド部４ｂとを一体に備えた「く」の字形の板状品からなっている。
【００１４】
そして、両押し用部品４，４は、傾斜ガイド部４ｂ，４ｂの部分において、高さ方向の三カ所をピン７…で接近離反できるように連結されており、高さ方向の中間のピン７に、開き用部品５が、押し用部品４，４間の位置において回動自在に連結されている。なお、８…はバネで、両押し用部品４，４を接近する方向に付勢している。
【００１５】
開き用部品５は、ピン７を挟む一方の側を開き用本体部５ａとし、ピン７を挟むもう一方の側をテコレバー部５ｂとするもので、開き用本体部５ａが押し用本体部４ａ，４ａ間の外に位置して押し用本体部４ａ，４ａ間が閉じた状態から、テコレバー部５ｂをピン７を中心に回動操作し、開き用本体部５ａを傾斜ガイド部４ｂ，４ｂ間を通じて押し用本体部４ａ，４ａ間に進出させることにより、押し用本体部４ａ，４ａが開き用本体部５ａの肉厚寸法分だけ開くことができるようになされている。
【００１６】
外壁パネル１，１間の目地幅の調整は、上記の治具３を用い、図２及び図３に示すように、対の押し用本体部４ａ，４ａを、閉じた状態にして、目地内空間部２に差し込む。しかる後、図３及び図４に示すように、テコレバー部５ｂを回動操作し、開き用本体部５ａを傾斜ガイド部４ｂ，４ｂ間を通じて押し用本体部４ａ，４ａ間に進出させる。すると、押し用本体部４ａ，４ａが、開き用本体部５ａの肉厚寸法分開いて、目地内空間部２を挟む対向面部６，６が相対的に離反変位をし、目地幅が拡大される。
【００１７】
なお、対の押し用本体部４ａ，４ａと開き用本体部５ａの合計肉厚寸法を目標目地幅寸法に設定しておく場合は、テコレバー部５ｂを所定の定位置まで回動させれば目地幅を目標値に自動設定することができて、調整操作を容易に行うことができるが、開き用本体部５ａの進出の程度によって目地幅の拡大の程度を自由に決めることができるようにするのもよい。
【００１８】
目地幅拡大の調整を行った後は、テコレバー部５ｂを反対方向に回動させ、押し用本体部４ａ，４ａ間から抜いた状態にすれば、押し用本体部４ａ，４ａを閉じた状態にすることができ、治具３は容易に目地２から取り外すことができる。
【００１９】
上記の目地幅調整方法では、治具３を構成する対の押し用部品４の押し用本体部４ａを目地内空間部２内に差し込み、開き用部品５のテコレバー部５ｂを回動操作するだけで目地幅を大きくすることができ、目地幅を大きくする調整を容易に行うことができる。しかも、それを機構簡素で取扱い容易な治具３を用いて容易に実現できる。
【００２０】
加えて、開き用部品５の開き用本体部５ａの進出は、対の押し用部品４，４間に対して行われるため、開き用本体部５ａは、対の押し用部品４，４に対しては摺れ動く動作をするが、目地内空間部２を挟む対向面部６，６に対して摺れ動くような動作をすることはなく、そのため、開き用本体部５ａの進出動作によって目地内空間部２を挟む対向面部６，６を傷つけてしまうこともない。
【００２１】
以上に、本発明の実施形態を示したが、本発明はこれに限られるものではなく、発明思想を逸脱しない範囲で各種の変更が可能である。例えば、治具３は、対の押し用部品４，４と開き用部品５とピン７とが不可分に組み合わされた構造をしていてもよいし、対の押し用部品４，４とピン７とが不可分に組み合わされ、開き用部品５がピン７に対して着脱可能な構造となっていてもよいし、開き用部品５とピン７とが不可分に組み合わされ、対の押し用部品４，４がピン７に対して着脱可能な構造となっていてもよいし、開き用部品５がピン７に対して着脱可能で、ピン７も対の押し用部品４，４に対して着脱可能な構造となっていてもよい。また、上記の治具３には、ピン７が複数備えられているが、開き用部品５を連結するピン７のみ備えられた構造の治具に構成されていてもよい。
【００２２】
また、上記の実施形態では、調整の対象が外壁目地である場合を示しているが、本発明方法は、各種目地の目地幅の調整に広く用いることができるものであることはいうまでない。
【００２３】
更に、本発明の隙間で開く治具は、上記のように目地幅を大きくする調整に簡易かつ便利に用いることができるものであるが、その具体的用途に制限はなく、各種隙間の幅の拡大や、隙間を挟む対向面部への押し力の付与などに、同様の簡易便利さで用いることができる。
【図面の簡単な説明】
【００２４】
【図１】実施形態の治具を示すもので、図（イ）は全体斜視図、図（ロ）は平面図、図（ハ）は側面図である。
【図２】図（イ）及び図（ロ）はそれぞれ、図３及び図４とともに、目地幅を大きく調整する方法を順次に示す、断面平面図及び側面図である。
【図３】図（イ）及び図（ロ）はそれぞれ、図２及び図４とともに、目地幅を大きく調整する方法を順次に示す、断面平面図及び側面図である。
【図４】図（イ）及び図（ロ）はそれぞれ、図２及び図３とともに、目地幅を大きく調整する方法を順次に示す、断面平面図及び側面図である。
【符号の説明】
【００２５】
２…目地内空間部
３…隙間で開く治具
４…押し用部品
５…開き用部品
５ａ…開き用用本体部
５ｂ…テコレバー部
６…対向面部
７…ピン
【図１】
2006009284.tif 000003
【図２】
2006009284.tif 000004
【図３】
2006009284.tif 000005
【図４】
2006009284.tif 000006